(57)【特許請求の範囲】
【請求項１】
コネクタに挿入されたＩＣカードと接触して回路を形成するように接触子を設けると共に、ＩＣカード挿入の有無を検出するスイッチの固定端子をコネクタを装着するプリント基板のパターンとして配設し、上記スイッチの可動端子を、ＩＣカードの挿入に応じて固定端子に接触するように支持する部材を設け、該部材と上記可動端子のＩＣカードと接触する部分を同時に樹脂で成形加工をすることを特徴とするスイッチ付きＩＣカード用コネクタの製造方法。
【請求項２】
前記可動端子のＩＣカードと接触する部分は、前記可動端子支持部材との間に連繋部を設けて樹脂で一体成型した後、上記連繋部を切除することを特徴とする請求項１に記載のスイッチ付きＩＣカード用コネクタの製造方法。
【発明の詳細な説明】
【０００１】
【発明の属する技術分野】
本発明は、携帯電話機等に好適なＩＣカードコネクタ（以下の表記はＳＩＭコネクタとする）に係わり、特にＩＣカード挿入の有無を検出するコネクタスイッチの構成とその成形方法に関する。
【０００２】
【従来の技術】
図６に従来のスイッチ付きＳＩＭコネクタ１００部分を斜視図で示し、図７にこのスイッチ付きＳＩＭコネクタ１００にＳＩＭカード１０１挿入の有無検出用として配設されている従来のスイッチ部１０２を断面で拡大図示する。ガイドカバー１０３に挿嵌されたＳＩＭカード１０１が二点鎖線で示されている。１０５はＳＩＭカード１０１との接触子で、成形ベース１０６にインサート成形により埋設されている。１０７はＩＣカードの信号取出し用に設けた外部回路との接続端子で、１０８はスイッチ端子である。
【０００３】
従来のスイッチ部１０２は電気接点として、固定片１０９と、一端が成形ベース１０６に片持固定され弾性変位可能な自由端１１０からなる可動片１１１とが二枚の電気伝導性良好な金属薄板で構成されている。可動片１１１の突起１１２に設けられた接点１１３は、ＳＩＭカード１０１が可動片１１１の自由端１１０に設けた合成樹脂部１１４に係合して、可動片１１１を押動することによってスイッチ部１０２を閉成する。
【０００４】
【発明が解決しようとする課題】
このように従来のスイッチ部１０２では固定片１０９と可動片１１１の二枚の金属片が厚み方向に重畳されて使用されているため、スイッチ部１０２をもたない製品と比較して厚みＳが大きくなることは避けられず、この構成にスイッチ付きＳＩＭコネクタ１００の薄型化が妨げられて、軽薄短小を前提とする商品にとっては問題となる。
【０００５】
また、ＳＩＭカード１０１との直接接触を避けるために可動片１１１に設けた合成樹脂部１１４は、別工程によって合成樹脂部１１４に可動片１１１をインサート成形するか、または合成樹脂部１１４の成型品に可動片１１１を圧入により固定している。このため、別工程に要する製造コストが商品価格に大きく影響することは避けられない。
【０００６】
そこで本発明の目的は、スイッチ付きＳＩＭコネクタの薄型化と工程の簡略化による製造コストの低減である。
【０００７】
【課題を解決するための手段】
上記目的を達成するため本発明の製造方法は、コネクタに挿入されたＩＣカードと接触して回路を形成するように接触子を設けると共に、ＩＣカード挿入の有無を検出するスイッチの固定端子をコネクタを装着するプリント基板のパターンとして配設し、上記スイッチの可動端子を、ＩＣカードの挿入に応じて固定端子に接触するように支持する部材を設け、該部材と上記可動端子のＩＣカードと接触する部分を同時に樹脂で成形加工をすることを特徴とする。
【０００９】
更に、上記方法において、前記可動端子のＩＣカードと接触する部分は、前記可動端子支持部材との間に連繋部を設けて樹脂で一体成型した後、上記連繋部を切除するようにしてもよい。
【００１０】
【発明の実施の形態】
以下に本発明に係わるスイッチ付きＳＩＭコネクタの一実施例の図面に基づいて実施の形態を説明する。図１は本発明に係わるスイッチ付きＳＩＭコネクタ１０の分解斜視図で、図２にその組立図を斜視図で示す。図３はスイッチ部１２を部分拡大して示した平面図、図４は図３の４−４線に沿った断面図である。
【００１１】
スイッチ付きＳＩＭコネクタ１０は、ＩＣカード１４と回路を形成する接触子１８、ＩＣカードの信号取出し用端子２０、スイッチ端子２２をそれぞれ指定位置に構成した成型ベース２４およびＩＣカード挿入ガイドとなるカバー２６から構成される。さらに、スイッチ部１２の固定側接触片２８がプリント基板面２９に他の回路パターンと共にエッチングなどの適当な手段で形成される。固定側接触片２８は、部分的に導体面を露出させて確実にスイッチ作用が機能するようにする。図４では固定側接触片２８が誇張して図示してあるが、プリント基板面２９と同一面である。
【００１２】
一方、コネクタ１０部分にはスイッチ部１２の可動側接触片３０だけが、インサート成形によって、一端を固定端３２として片持梁状に支持される。可動側接触片３０は良好な導電性金属薄板からなる弾性片で、固定端３２側は一枚の連続する板材であるが、自由端３４の延在部分３６は、溝４０によって両側の複列操作アーム４４から中央接点アーム４２が分離している。
【００１３】
さらに複列操作アーム４４は、先端に被装された合成樹脂部４６の押動により一体で弾性変位する。このように、複列操作アーム４４と中央接点アーム４２とは一応互いに独立した構成であるが、それぞれに対して働く作用力は、固定端３２側の連続部分３８を介して相互に伝達される。従って、複列操作アーム４４と中央接点アーム４２とは、それぞれ独自に弾性変位が可能であるが、変位は互いに影響しあう。
【００１４】
また、合成樹脂部４６は固定端３２方向が斜面４８となっており、ＩＣカード１４を図中矢印Ａ方向へ挿入する過程で、先端が斜面４８に係合し、面に沿って摺動することにより合成樹脂部４６は下方（図中矢印Ｂ方向）に押動され、複列操作アーム４４は弾性変形で下方に湾曲する。この変形が固定端３２側の連続部分３８を介して中央接点アーム４２に伝達される。中央接点アーム４２は複列操作アーム４４の弾性変形に追随して変位し、自由端３４を屈曲させて突設した接点５０を、プリント基板面２９に被装されたスイッチ部１２の固定側接触片２８に圧接して回路を閉成する。
【００１５】
このとき複列操作アーム４４にはＩＣカード１４によって弾性変形が強制される。一方、中央接点アーム４２は、接点５０が固定側接触片２８に当接するまで変位した後、複列操作アーム４４のさらなる弾性変形による作用力は、固定端３２の連続部分に緩和されて中央接点アーム４２を弾性変形させ、接点５０に適正な圧接力を付き与する。
【００１６】
このように、スイッチ部１２の片側の接点を構成する固定側接触片２８として、プリント基板のパターン面２９を利用したことにより、構造が極めて簡単になると共に厚みＤの薄型化が可能になる。
【００１７】
以下に本発明に係わるスイッチ付きＳＩＭコネクタ１０において、スイッチ部１２の可動側接触片３０に形成する合成樹脂部４６の製造方法について説明する。通常、ＩＣカードの信号取出し用端子２０とスイッチ端子２２とは、インサート成形によって成型ベース２４内に構成されている。本発明に係わるスイッチ付きＳＩＭコネクタ１０では、このインサート成形時に可動側接触片３０の合成樹脂部４６を成形するもので、これにより別工程での成形が不要になり、作業効率が改善される。
【００１８】
すなわち、可動側接触片３０の合成樹脂部４６は、図５に影を付けて示したような連繋部５２を、成形時に合成樹脂部４６と成形ベース２４との間に架設することによって容易に成形でき、そしてこの連繋部５２は、成形後の切離し加工で簡単に切除できる。従って、製品に残される切除加工の痕跡を、製造方法が本発明に係わることを識別する指標にすることができる。
【００１９】
【発明の効果】
以上の説明で明らかなように、本発明に係わるスイッチ付きＳＩＭコネクタによれば、ＩＣ挿入の有無を識別するスイッチの固定側接触片を成型プリント基板上にプリント回路の一部として構成したので、スイッチ付きコネクタの厚みを薄く構成することができる。また、可動側接触片の合成樹脂部を成型ベースと同時成型したことにより工程が削減され、製造効率の向上と共に価格の低減を図ることができる。
なお、本発明は携帯電話機に限らず、広くＩＣカードを用いる電子機器に用いることができる。また、前記ベースは成型ベースでなくてもよい。更に固定側接触片はプリント基板のパターンを利用しなくてもよい。
【図面の簡単な説明】
【図１】本発明に係わるスイッチ付きＳＩＭコネクタの一実施例を示す分解斜視図である。
【図２】図１の組立状態を示す斜視図である。
【図３】本発明に係わるスイッチ付きＳＩＭコネクタの一実施例におけるスイッチ部を部分拡大した平面図である。
【図４】図３の４−４線に沿った断面図である。
【図５】本発明に係わるスイッチ付きＳＩＭコネクタの一実施例におけるスイッチ部の製造方法を説明する平面図である。
【図６】従来のスイッチ付きＳＩＭコネクタ部分の斜視図である。
【図７】図６の７−７線に沿った断面図である。
【符号の説明】
１０  スイッチ付きＳＩＭコネクタ
１２  スイッチ部
１４  ＩＣカード
２４  成型ベー
２８  固定側接触片
２９  パターン面
３０  可動側接触片
４２  中央接点アーム
４４  複列操作アーム
４６  合成樹脂部
５２  連繋部
【図１】
0004042293.tif 000002
【図２】
0004042293.tif 000003
【図３】
0004042293.tif 000004
【図４】
0004042293.tif 000005
【図５】
0004042293.tif 000006
【図６】
0004042293.tif 000007
【図７】
0004042293.tif 000008